(57)【要約】【課題】  選択された商品の色を容易に確認する。【解決手段】  端末装置２は、商品（商品データ）を選択し、ネットワーク５を介して、要求処理装置３に対し出力する。要求処理制御部３０は、商品の色域情報、並びに、第１の印刷装置３２及び第２の印刷装置３４それぞれが色再現可能な色域情報を読み込む。色域判定部３０４は、要求処理制御部３０が出力する画像レイアウトデータを色再現可能な印刷装置があるか否かを判定する。要求処理制御部３０は、色再現可能な印刷装置がある場合には色再現可能な印刷装置を選択して印刷物を出力させ、色再現可能な印刷装置がない場合には色域包括度が高い印刷装置の色域を補正して印刷物を出力させる。【選択図】          図１
2006092118.tif 000002
【特許請求の範囲】
【請求項１】
商品を選択し、選択した商品及び商品の色域に応じて画像を印刷することを特徴とする画像印刷方法。
【請求項２】
商品を選択する商品選択手段と、この商品選択手段が選択した商品に応じて画像を印刷する印刷手段と、前記商品選択手段が選択した商品の色域に応じて画像の色を調整する色調整手段とを有することを特徴とする画像印刷システム。
【請求項３】
前記商品選択手段が選択した商品に応じて画像を印刷する少なくとも１つの他の印刷手段をさらに有し、前記色調整手段は、前記商品選択手段が選択した商品の色域を最も広く再現する前記印刷手段又は前記少なくとも1つの他の印刷手段のいずれかによって画像の色を調整することを特徴とする請求項２記載の画像印刷システム。
【請求項４】
前記印刷手段又は前記少なくとも1つの他の印刷手段のいずれかが印刷した画像を後加工する少なくとも１つの後加工手段をさらに有し、前記色調整手段は、前記後加工手段が後加工した画像の色味が商品の色味に最も近づくように、前記印刷手段又は前記少なくとも1つの他の印刷手段のいずれかと、前記少なくとも１つの後加工手段のいずれかとの組み合わせによって画像の色を調整することを特徴とする請求項３記載の画像印刷システム。
【請求項５】
前記少なくとも１つの後加工手段は、前記印刷手段又は前記少なくとも1つの他の印刷手段のいずれかが印刷した画像に対し、塗り加工、塗り押し加工、貼り加工又は撥水加工の少なくともいずれかを行なうことを特徴とする請求項４記載の画像印刷システム。
【請求項６】
商品が印刷された画像に貼り加工する貼り加工手段と、この貼り加工手段が貼り加工した画像の色味が商品の色味に近づくように画像の色を調整する色調整手段とを有することを特徴とする画像印刷システム。
【発明の詳細な説明】
【技術分野】
【０００１】
本発明は、商品に関する画像を印刷する画像印刷方法及び画像印刷システムに関するものである。
【背景技術】
【０００２】
ネットワークを介して商品が販売される場合、顧客は購入前に商品を直接見ることができないため、商品が所望の色であるか否かを購入前に確認することができないという問題があった。そこで、顧客のモニタのプロファイルに応じて色変換することにより、顧客が商品の色を確認することができるようにすることは公知である（特許文献１参照）。
【０００３】
【特許文献１】特開２００３−１１１０９３号公報
【発明の開示】
【発明が解決しようとする課題】
【０００４】
しかしながら、商品の購入を検討する顧客のモニタのプロファイルを登録しなければならないという問題があった。
【０００５】
そこで、本発明は、選択された商品の色を容易に確認することができる画像印刷方法及び画像印刷システムを提供することを目的とする。
【課題を解決するための手段】
【０００６】
上記目的を達成するため、本発明の第１の特徴とするところは、商品を選択し、選択した商品及び商品の色域に応じて画像を印刷する画像印刷方法にある。即ち、選択された商品の色域に応じて画像を印刷するので、選択された商品の色を容易に確認することができる。
【０００７】
また、本発明の第２の特徴とするところは、商品を選択する商品選択手段と、この商品選択手段が選択した商品に応じて画像を印刷する印刷手段と、前記商品選択手段が選択した商品の色域に応じて画像の色を調整する色調整手段とを有する画像印刷システムにある。即ち、選択された商品の色域に応じて、印刷手段が画像を印刷するので、選択された商品の色を容易に確認することができる。
【０００８】
好適には、前記商品選択手段が選択した商品に応じて画像を印刷する少なくとも１つの他の印刷手段をさらに有し、前記色調整手段は、前記商品選択手段が選択した商品の色域を最も広く再現する前記印刷手段又は前記少なくとも1つの他の印刷手段のいずれかによって画像の色を調整する。即ち、選択された商品の色域を最も広く再現する印刷手段によって画像が印刷されるので、選択された商品の色を容易に確認することができる。
【０００９】
また、好適には、前記印刷手段又は前記少なくとも1つの他の印刷手段のいずれかが印刷した画像を後加工する少なくとも１つの後加工手段をさらに有し、前記色調整手段は、前記後加工手段が後加工した画像の色味が商品の色味に最も近づくように、前記印刷手段又は前記少なくとも1つの他の印刷手段のいずれかと、前記少なくとも１つの後加工手段のいずれかとの組み合わせによって画像の色を調整する。また、好適には、前記少なくとも１つの後加工手段は、前記印刷手段又は前記少なくとも1つの他の印刷手段のいずれかが印刷した画像に対し、塗り加工、塗り押し加工、貼り加工又は撥水加工の少なくともいずれかを行なう。したがって、印刷された画像に後加工が施されても、画像の色味を商品の色味に近づけることができるので、選択された商品の色を容易に確認することができる。
【００１０】
また、本発明の第３の特徴とするところは、商品が印刷された画像に貼り加工する貼り加工手段と、この貼り加工手段が貼り加工した画像の色味が商品の色味に近づくように画像の色を調整する色調整手段とを有する画像印刷システムにある。したがって、商品が印刷された画像の色味が貼り加工によって変化しても、画像の色味を商品の色味に近づけることができるので、商品の色を容易に確認することができる。
【発明の効果】
【００１１】
本発明によれば、選択された商品の色を容易に確認することができる。
【発明を実施するための最良の形態】
【００１２】
次に本発明の実施形態を図面に基づいて説明する。
図１において、本発明の実施形態に係る画像印刷システム１の概要が示されている。画像印刷システム１は、例えば端末装置２、要求処理装置３及びデータベース群４がネットワーク５を介して接続されることによって構成される。
端末装置２は、例えばＰＣ（Personal Computer）などであり、入力装置及び表示装置などを含む。また、端末装置２は、例えば商品の購入を検討する顧客側に配置されている。
【００１３】
要求処理装置３は、要求処理制御部３０、第１の印刷装置３２、第２の印刷装置３４、第１の後加工装置３６及び第２の後加工装置３８から構成され、要求処理制御部３０が要求処理装置３を構成する各部を制御するようにされている。また、要求処理装置３は、例えば商品を供給する商品供給側に配置されており、ネットワーク５を介して、端末装置２から商品が選択された信号を受入れると、印刷物を外部に出力するようにされている。
【００１４】
第１の印刷装置３２及び第２の印刷装置３４は、互いにプロファイルが異なり、要求処理制御部３０から画像レイアウトデータを受入れると、互いに異なる色域のカラー画像を印刷する。つまり、第１の印刷装置３２及び第２の印刷装置３４は、互いに色再現可能な色域が異なる。また、第１の印刷装置３２及び第２の印刷装置３４それぞれは、要求処理制御部３０の制御により、第１の後加工装置３６、第２の後加工装置３８又は外部のいずれかに印刷物を出力する。
【００１５】
第１の後加工装置３６及び第２の後加工装置３８は、第１の印刷装置３２又は第２の印刷装置３４から印刷物を受入れると、互いに異なる後加工（ポストプレス加工）を印刷物に対して施し、後加工済みの印刷物を外部に出力する。第１の後加工装置３６及び第２の後加工装置３８は、例えば表面加工材料を塗装する塗り加工（光沢コート)、熱硬化性樹脂を印刷面に塗った後に熱と圧力を加えて圧着させる塗り押し加工（プレスコート）、ポリプロピレンのフィルムを印刷面に熱圧着させる貼り加工、又は、撥水加工の少なくともいずれかを後加工として印刷物に施す。
【００１６】
要求処理制御部３０は、例えばレイアウト処理部３００、色処理部３０２を有し、ネットワーク５を介してデータベース群４に接続されている。レイアウト処理部３００は、後述するコンテンツ格納部４０からコンテンツ情報を受け入れ、後述する色処理部３０２の処理結果に応じて、画像が所定のレイアウトで出力されるように画像レイアウトデータを生成し、第１の印刷装置３２又は第２の印刷装置３４に対して出力する。例えば、顧客が購入を検討する商品が素材から構成される場合、レイアウト処理部３００は、所定の形状又はレイアウトに対し、後述する色処理部３０２の処理結果に応じた色を配した画像レイアウトデータ（商品のシミュレーション結果）を生成する。なお、素材は、１つの商品を構成する商品として扱う。
【００１７】
色処理部３０２は、色域判定部３０４及び色域圧縮部３０６から構成される。色域判定部３０４は、データベース群４から受入れた色域データを解析し、要求処理制御部３０が出力する画像レイアウトデータ（商品の色域）を第１の印刷装置３２又は第２の印刷装置３４が色再現可能か否かを判定する。
【００１８】
色域圧縮部３０６は、後述する色変換方法格納部４４６から所定の色変換方法を受け入れ、色変換係数格納部４４８から所定の色変換係数を受入れて、所定の画像信号を色域判定部３０４の判定結果に応じて色域圧縮する。後加工補正部３０８は、後述する色変換方法格納部４４６から所定の色変換方法を受け入れ、色変換係数格納部４４８から所定の色変換係数を受入れて、要求処理制御部３０から第１の印刷装置３２又は第２の印刷装置３４に対して出力される画像レイアウトデータを補正する。例えば、第１の印刷装置３２又は第２の印刷装置３４が印刷した画像が第１の後加工装置３６又は第２の後加工装置３８いずれかを介して出力される場合、後加工補正部３０８は、後加工済みの画像の色味が商品の色味に近づくように画像レイアウトデータを補正する。
【００１９】
また、要求処理制御部３０は、端末装置２から商品が選択された信号を受入れると、選択された商品の後述するカテゴリに応じて、第１の印刷装置３２又は第２の印刷装置３４のいずれかを選択して画像レイアウトデータを出力する。要求処理制御部３０は、第１の印刷装置３２又は第２の印刷装置３４のいずれかを選択する場合、選択された商品のカテゴリに応じた色域に対する第１の印刷装置３２及び第２の印刷装置３４の色域包括度を比較し、包括度が高い第１の印刷装置３２又は第２の印刷装置３４を選択する。
【００２０】
データベース群４は、コンテンツ格納部４０、顧客情報格納部４２及び色情報データベース４４から構成される。コンテンツ格納部４０は、素材から構成される商品を含む複数のコンテンツ（商品データ）に関するデータベースであり、色情報データベース４４と共に商品を特定するデータベースを構成する。顧客情報格納部４２は、例えば顧客の商品購入履歴及び好みなどを記憶するデータベースである。
【００２１】
色情報データベース４４は、印刷装置色域データ格納部４４０、商品管理色域データ格納部４４２、素材管理色域データ格納部４４４、色変換方法格納部４４６及び色変換係数格納部４４８を有する。印刷装置色域データ格納部４４０は、第１の印刷装置３２及び第２の印刷装置３４それぞれが色再現可能な色域を示すデータ（色値）を格納している。
【００２２】
商品管理色域データ格納部４４２は、商品を複数のカテゴリに分類し、カテゴリ毎の色域情報（特徴量）を色情報管理データベースとして格納している。
図２は、商品管理色域データ格納部４４２が格納している色情報管理データベースの概念を示す図表である。図２に示すように、色管理情報データベースは、商品を大カテゴリ（インテリア、衣類などのカテゴリＡ）、中カテゴリ（テーブル、スカートなどのカテゴリＢ）及び個別カテゴリ（テーブルＡなどのカテゴリＣ）に分類し、例えば大カテゴリ及び中カテゴリ毎に色域情報を保持している。つまり、商品管理色域データ格納部４４２は、商品のカテゴリが指定されてアクセスされることにより、指定されたカテゴリの色を出力するために必要な色域情報を出力することができる。
【００２３】
素材管理色域データ格納部４４４は、素材を複数のカテゴリに分類し、カテゴリ毎の色域情報（特徴量）図２に示した概念と同じ概念で格納している。なお、素材管理色域データ格納部４４４には、商品を構成する素材に対する色情報管理データベースを保持しており、商品管理色域データ格納部４４２に保持されている商品に対する色情報管理データベースとは異なる。
【００２４】
色変換方法格納部４４６は、商品の色域を第１の印刷装置３２及び第２の印刷装置３４が色再現可能な色域に変換する複数の方法を格納している。例えば、色変換方法格納部４４６は、Ｌ＊ａ＊ｂ＊表色系又はＬ＊Ｃ＊ｈ＊表色系を介し、商品のカテゴリに応じた色域に対する第１の印刷装置３２及び第２の印刷装置３４の色域のはみ出し量の合計又は最大はみ出し量に応じて、商品の色域をＹ（イエロー），Ｍ（マゼンタ），Ｃ（シアン），Ｋ（黒）のデバイスに依存する色域に補正するための補正プログラム等を格納している。また、色変換方法格納部４４６は、第１の印刷装置３２及び第２の印刷装置３４によって印刷された画像が、第１の後加工装置３６又は第２の後加工装置３８いずれかによって後加工された場合に変化する色味を補正するための色味補正プログラムを格納している。
【００２５】
色変換係数格納部４４８は、色変換方法格納部４４６に格納された補正プログラム及び色味補正プログラムにおいて用いられる色変換係数を格納している。
図３は、要求処理装置３から出力される印刷物を示す図であって、（Ａ）は後加工されていない印刷物を示し、（Ｂ）は後加工された印刷物を示す図である。色変換係数格納部４４８には、図６（Ａ）に示した印刷物６の色味と、図６（Ｂ）に示した例えばポリプロピレンフィルム６０が熱圧着された印刷物６’の色味とを比較することによって抽出された、印刷物６に対する印刷物６’の色味の変化量に基づく色変換係数（補正用データ）が格納されている。
【００２６】
次に、画像印刷システム１が印刷物を出力する処理について説明する。
図４は、画像印刷システム１印刷物を出力する処理（Ｓ１０）を例示するフローチャートである。
図５は、第１の印刷装置３２の色域と商品の色域の関係をＬ＊Ｃ＊ｈ＊表色系で例示するグラフであって、（Ａ）は端末装置２、第１の印刷装置３２及びインテリア・家具の色域の関係を示し、（Ｂ）は第１の印刷装置３２とインテリア・家具の色域の関係を示し、（Ｃ）は第１の印刷装置３２とスカートの色域の関係を示すグラフである。
【００２７】
図４に示すように、ステップ１００（Ｓ１００）において、例えば商品の購入を検討する顧客の操作により、端末装置２は、コンテンツ格納部４０に格納された複数の商品（コンテンツ）から商品（商品データ）を選択し、ネットワーク５を介して、要求処理装置３に対し出力する。例えば、テーブルＡ（図２参照）が商品として選択された場合、図５（Ａ）に示すように、インテリア・家具の色域（カテゴリＡ）の一部は、端末装置２において表示可能な色域から外れている。
【００２８】
ステップ１０２（Ｓ１０２）において、要求処理制御部３０は、商品管理色域データ格納部４４２から商品の色域情報を読み込む。なお、Ｓ１００の処理において、商品を構成する素材が商品として選択された場合には、要求処理制御部３０は、素材管理色域データ格納部４４４から色域情報を読み込む。
【００２９】
ステップ１０４（Ｓ１０４）において、要求処理制御部３０は、印刷装置色域データ格納部４４０から第１の印刷装置３２及び第２の印刷装置３４それぞれが色再現可能な色域情報を読み込む。
【００３０】
ステップ１０６（Ｓ１０６）において、色域判定部３０４は、要求処理制御部３０が出力する画像レイアウトデータを第１の印刷装置３２又は第２の印刷装置３４が色再現可能であるか否かを判定し、色再現可能な場合にはＳ１０８の処理に進み、色再現可能でない場合にはＳ１１２の処理に進む。例えば、図５（Ｂ）に示すように、第１の印刷装置３２が色再現可能な色域がインテリア・家具の色域を全て包括する場合、色域判定部３０４は、要求処理制御部３０が出力する画像レイアウトデータを第１の印刷装置３２が色再現可能であると判定し、Ｓ１０８の処理に進む。
また、例えば他の例として、図５（Ｃ）に示すように、スカートの色域（カテゴリＢ）に対する色再現域が第２の印刷装置３４よりも広い第１の印刷装置３２に対し、スカートの色域が外れている場合、色域判定部３０４は、要求処理制御部３０が出力する画像レイアウトデータを色再現可能な印刷装置がないと判定し、Ｓ１１２の処理に進む。
つまり、色域判定部３０４は、要求処理制御部３０が出力する画像レイアウトデータを色再現可能な印刷装置があるか否かを判定する。
【００３１】
ステップ１０８（Ｓ１０８）において、要求処理制御部３０は、第１の印刷装置３２及び第２の印刷装置３４から画像レイアウトデータに対して色再現可能な印刷装置を選択する。
【００３２】
ステップ１１０（Ｓ１１０）において、要求処理制御部３０は、色域圧縮をすることなく、Ｓ１０８の処理で選択した第１の印刷装置３２又は第２の印刷装置３４が出力可能な信号に画像レイアウトデータを変換する。
【００３３】
ステップ１１２（Ｓ１１２）において、要求処理制御部３０は、選択された商品のカテゴリに応じた色域に対する第１の印刷装置３２及び第２の印刷装置３４の色域包括度を比較し、包括度が高い第１の印刷装置３２又は第２の印刷装置３４（最も色域を包括する印刷装置）を選択する。
【００３４】
ステップ１１４（Ｓ１１４）において、色域圧縮部３０６は、Ｓ１１２の処理において選択された第１の印刷装置３２又は第２の印刷装置３４の色域包括度に応じて色域の変換方法及び色域変換係数を選択して色域圧縮し、Ｓ１１２の処理において選択された第１の印刷装置３２又は第２の印刷装置３４が色再現可能な信号に色変換する。
【００３５】
ステップ１１６（Ｓ１１６）において、要求処理制御部３０が第１の後加工装置３６又は第２の後加工装置３８を介して印刷物を出力する場合、後加工補正部３０８は、後加工済み印刷物の画像の色味が商品の色味に近づくように画像レイアウトデータを補正する。（要求処理制御部３０が第１の後加工装置３６又は第２の後加工装置３８を介さずに印刷物を出力する場合には、後加工補正部３０８は、画像レイアウトデータを補正しない。）
【００３６】
ステップ１１８（Ｓ１１８）において、Ｓ１０８又はＳ１１２の処理において選択された第１の印刷装置３２又は第２の印刷装置３４は、Ｓ１００の処理で選択された商品に関する画像（商品画像など）を印刷し、要求処理制御部３０の制御によって第１の後加工装置３６、第２の後加工装置３８又は外部のいずれかに印刷物を出力する。
【００３７】
ステップ１２０（Ｓ１２０）において、第１の印刷装置３２又は第２の印刷装置３４から印刷物を受入れた第１の後加工装置３６又は第２の後加工装置３８のいずれかは、印刷物に対して後加工を施し、後加工済み印刷物を外部に出力する。第１の印刷装置３２又は第２の印刷装置３４が印刷物を受入れない場合には、処理を終了する。
【図面の簡単な説明】
【００３８】
【図１】本発明の実施形態に係る画像印刷システムの概要を示す構成図である。
【図２】商品管理色域データ格納部が格納している色情報管理データベースの概念を示す図表である。
【図３】要求処理装置から出力される印刷物を示す図であって、（Ａ）は後加工されていない印刷物を示し、（Ｂ）は後加工された印刷物を示す図である。
【図４】画像印刷システム１印刷物を出力する処理（Ｓ１０）を例示するフローチャートである。
【図５】第１の印刷装置の色域と商品の色域の関係をＬ＊Ｃ＊ｈ＊表色系で例示するグラフであって、（Ａ）は端末装置、第１の印刷装置及びインテリア・家具の色域の関係を示し、（Ｂ）は第１の印刷装置とインテリア・家具の色域の関係を示し、（Ｃ）は第１の印刷装置とスカートの色域の関係を示すグラフである。
【符号の説明】
【００３９】
１・・・画像印刷システム
２・・・端末装置
３・・・要求処理装置
３０・・・要求処理制御部
３００・・・レイアウト処理部
３０２・・・色処理部
３０４・・・色域判定部
３０６・・・色域圧縮部
３０８・・・後加工補正部
３２・・・第１の印刷装置
３４・・・第２の印刷装置
３６・・・第２の後加工装置
３８・・・第２の後加工装置
４・・・データベース群
４０・・・コンテンツ（商品データ）格納部
４２・・・顧客情報格納部
４４・・・色情報データベース
４４０・・・印刷装置色域データ格納部
４４２・・・商品管理色域データ格納部
４４４・・・素材管理色域データ格納部
４４６・・・色変換方法格納部
４４８・・・色変換係数格納部
５・・・ネットワーク
６，６・・・印刷物
６０・・・ポリプロピレンフィルム
【図１】
2006092118.tif 000003
【図２】
2006092118.tif 000004
【図３】
2006092118.tif 000005
【図４】
2006092118.tif 000006
【図５】
2006092118.tif 000007